(57)【特許請求の範囲】
【請求項１】
天井材又はスプリンクラヘッドに取り付け可能に構成されると共に、下方に開口を有する本体と、前記スプリンクラヘッドの感熱部を覆うと共に、前記開口を塞ぐように前記本体に離脱可能に設置され、薄い金属板で形成されたカバー体とを備えたスプリンクラヘッドカバーにおいて、
前記カバー体と前記本体との間に、概略円筒形のプロテクタを備え、該プロテクタの外周面には、前記カバー体との接触面積を減らすために、前記カバー体の内周面に沿うように複数のリブが設けられると共に、該プロテクタの外周形状は、前記カバー体の内面形状に合うように形成され、前記プロテクタを、圧入状態となり両者が一体化されるように、前記カバー体に挿入して、前記プロテクタを前記カバー体内に設け、外力によりカバー体が変形しにくいことを特徴とするスプリンクラヘッドカバー。
【請求項２】
前記本体に天井の開口部を塞ぐシーリングプレートを設けると共に、該シーリングプレートの外周縁に下方に延出して前記カバー体を防護する防護壁を設けたことを特徴とする請求項１記載のスプリンクラヘッドカバー。
【請求項３】
一端側がプロテクタに取り付けられ、他端側が前記本体の下端外周の傾斜面に係止して、前記カバー体を前記本体に保持させる保持金具を設け、前記本体の下方に末広がり状に形成される部分と、前記プロテクタとの間隔は、前記スプリンクラヘッドの感熱部の下端部と前記カバー体の中央上面との間隔よりも小さく形成されることを特徴とする請求項１記載のスプリンクラヘッドカバー。
【請求項４】
前記保持金具と前記カバー体との間に設置されて、前記保持金具を起立状態に支持する半田を備えたことを特徴とする請求項３記載のスプリンクラヘッドカバー。
【発明の詳細な説明】
【０００１】
【発明の属する技術分野】
本発明は天井面におけるスプリンクラヘッド設置部の開口を塞ぐと共に、スプリンクラヘッドを外的衝撃から守るスプリンクラヘッドカバーに関する。
【０００２】
【従来の技術】
天井面に取り付けられたスプリンクラヘッドが外的衝撃を受けて暴発するのを防止すると共に、スプリンクラヘッド取付部の隙間を塞いで意匠的にもよくするためのスプリンクラヘッドカバーが例えば実公平７−３７６３８号公報に提案されている。図１０は同公報に提案されたスプリンクラヘッド用ガード（同公報に言う「スプリンクラヘッド用ガード」は、本明細書に言うところのスプリンクラヘッドカバーに相当するものである。）を取り付けた状態の説明図、図１１はスプリンクラヘッド用ガードの分解斜視図である。
【０００３】
ガードは、取り付け体６１、バネ材６２、蓋部材６３および低融点合金６４から構成されている。取り付け体６１は円環状であり、周囲に複数の突出部６５が形成され，その中に木ネジを通すことのできる穴６６が穿設されている。該取り付け体６１にはＬ字形の複数の脚６７が設置されている。脚６７は低融点合金６４が半田付けできるような材料からできている。該低融点合金６４はスプリンクラーヘッドの作動温度よりも低い融点をもつようなものにする。
【０００４】
バネ材６２は前述した取り付け体６１と略同一大の皿バネであり、取り付け体６１の脚６７と一致するところには切欠６８が形成されている。
蓋部材６３は凹状となっており、上部周囲には取り付け体６１と略同一大のフランジ６９が形成されている。該フランジ６９は取り付け体６１の脚６７と低融点合金６４で接合するため、半田付けできる材料でなければならない。また、蓋部材の周囲には複数の開口７０が設けられている。
【０００５】
ガードの組立は、バネ材６２の切欠６８に取り付け体６１の脚６７を入れ，蓋部材６３のフランジ６９上に脚６７を置いてから、脚６７とフランジ６９とを低融点合金６４で接着する。このようにして組立てられたガードは、スプリンクラーヘッド５５が取り付けられた天井５０の穴５３と略同芯にして取り付ける。該取り付けは、取り付け体６１の穴６６に木ネジ７４を通して天井５０に直接取り付ける。
【０００６】
次に上記のように構成された従来のガードの作動について説明する。火災が発生するとガードが熱せられ、取り付け体６１と蓋部材６３を接着していた低融点合金６４が溶ける。この時、蓋部材６３に蓋部材６３を落下させるようなバネカが作用しているため蓋部材６３の自重に加えてバネカで蓋部材６３が完全に落下する。
【０００７】
【発明が解決しようとする課題】
しかしながら、上記の実公平７−３７６３８号公報に開示されたスプリンクラヘッド用ガードは、低融点合金６４が火災の熱で溶けることによって蓋部材６３が取り付け体６１から外れる構造であるため、取り付け体６１と蓋部材６３の接着は火災の熱で溶けて外れる程度にする必要がある。そのため、例えば掃除用のモップの棒の先端などの外力が蓋部材６３の下方から加えられると感熱部が保護できないという問題があった。
【０００９】
本発明はかかる課題を解決するためになされたものであり、第１の目的はカバー体の下方から外力が加えられても、スプリンクラヘッドの感熱部を保護できるスプリンクラヘッドカバーを得ることを目的としている。
【００１０】
【課題を解決するための手段】
本発明に係るスプリンクラヘッドカバーは、天井材又はスプリンクラヘッドに取り付け可能に構成されると共に、下方に開口を有する本体と、スプリンクラヘッドの感熱部を覆うと共に、開口を塞ぐように本体に離脱可能に設置され、薄い金属板で形成されたカバー体とを備えたスプリンクラヘッドカバーにおいて、カバー体と本体との間に、概略円筒形のプロテクタを備え、該プロテクタの外周面には、カバー体との接触面積を減らすために、カバー体の内周面に沿うように複数のリブが設けられると共に、該プロテクタの外周形状は、カバー体の内面形状に合うように形成され、プロテクタを、圧入状態となり両者が一体化されるように、カバー体に挿入して、プロテクタをカバー体内に設け、外力によりカバー体が変形しにくいことを特徴とするものである。
【００１１】
また、本体に天井の開口部を塞ぐシーリングプレートを設けると共に、該シーリングプレートの外周縁に下方に延出してカバー体を防護する防護壁を設けたものである。
【００１２】
さらに、一端側がプロテクタに取り付けられ、他端側が本体の下端外周の傾斜面に係止して、カバー体を本体に保持させる保持金具を設け、本体の下方に末広がり状に形成される部分と、プロテクタとの間隔は、スプリンクラヘッドの感熱部の下端部とカバー体の中央上面との間隔よりも小さく形成されることを特徴とするものである。
【００１３】
また、保持金具とカバー体との間に設置されて、保持金具を起立状態に支持する半田を備えたものである。
【００１６】
【発明の実施の形態】
実施の形態１．
図１は本発明の一実施の形態であるスプリンクラヘッドカバーの設置状態における側面断面図である。以下、図１に基づいて本実施の形態を説明する。
図において、５０は天井板であり、スプリンクラヘッド設置用の開口５３が設けられている。５５は開口５３に臨ませて設置されたスプリンクラヘッド、１は開口５３を塞ぐように設置されてスプリンクラヘッドカバーである。
【００１７】
以下、スプリンクラヘッドカバー１を構成する部品について説明する。３はスプリンクラヘッド５５に固定される、下方に開口を有する例えば樹脂製からなる略円筒状の本体、５は本体３の下端側に本体３と離脱可能に設置され、スプリンクラヘッド５５の感知部を覆うと共に開口５３を塞ぐカバー体、７はカバー体５の内面側に固定されたプロテクタ、９は一端側がプロテクタ７に揺動可能に取り付けられ他端側が本体３の下端外周の末広がり状の傾斜面に係止してカバー体５を本体３に保持させる保持金具である。この保持金具９はプロテクタ７の円周方向１２０度の位置に三箇所設けられている。
なお後述するバネ部材が設置される、本体３の下方に末広がり状に形成される部分と、プロテクタ７との間隔は、スプリンクラヘッド５５の感熱部の下端部とカバー体５の中央上面との間隔よりも小さくされている。これは、カバー体５の下方に外力が加わって、上昇する際、カバー体５がスプリンクラヘッドの感熱部にあたる前に、プロテクタ７と本体３を接触させることで、感熱部を保護するためである。
【００１８】
また、１０は保持金具９とカバー体５との間に設置されて保持金具９を起立状態に支持する半田、１１は本体３とプロテクタ７との間に設置されてプロテクタ７を斜め下外方に付勢するバネ部材、１２は本体３とカバー体５との隙間を塞ぎ腐食性のガスなどがカバーの内部に侵入するのを防止する腐食防止カバーである。
１３は本体３に設置され、開口５３を塞ぐと共に、カバー体５を外力から防護するシーリングプレート、１５は同じく本体３に設置され消火液の放水方向を規制する被水防止板である。
【００１９】
図２はシーリングプレート１３の側面断面図、図３はシーリングプレート１３を下方（図２における矢印Ａ方）から見た図である。以下、図２及び図３に基づいてシーリングプレート１３を説明する。
まず、シーリングプレート１３の形状を概説すると、シーリングプレート１３は中央に円形の開口１７を有する高さの低い円筒形状に形成されており、開口１７の周囲には縁部１９を有し、縁部１９の外周端には下方に垂下する防護壁２１を有している。
また、縁部１９及び防護壁２１の一部には図３に示すように被水防止板１５との干渉を避けるための挿入口２２が設けられている。
【００２０】
開口１７の大きさは、本体３の外形と略同一に形成されており、本体３を挿入できるように構成されている。
また、防護壁２１の内径は、図１に示すように、カバー体５及び腐食防止カバー１２が内側に収容できる大きさに設定されている。また、防護壁２１の高さはカバー体５が外れる際にカバー体５が衝突しない寸法に設定されている。
【００２１】
図４は被水防止板１５の側面断面図、図５は被水防止板１５を下方（図４におけるＢ方向）から見た図である。以下、図４及び図５に基づいて被水防止板１５の形状について説明する。被水防止板１５は中央に円形の開口２５を有する円環状の保持部２７、保持部２７の一側から外方に延出する延出部２９、延出部２９の端部から下方に垂下する垂下片３１から構成されている。このように被水防止板１５を円環状に形成することで、被水防止板１５の位置を３６０度自由に設定することができる。
なお、垂下片３１と防護壁２１の内面が図１に示すように接触していると、スプリンクラヘッドが動作し、放水されても、垂下片３１は放水の勢いで変形することがない。
【００２２】
開口部２５の大きさは、シーリングプレート１３と同様に、本体３の外形と略同一に形成されており、本体３を挿入できるように構成されている。
また、垂下片３１の位置は、図１に示すように、シーリングプレート１３及び被水防止板１５を設置したときに、垂下片３１の外側面がシーリングプレート１３の防護壁２１の内側になるように設定されている。
【００２３】
図６はプロテクタ７の底面図、図７は平面図、図８は図６におけるＢ方向から見た側面図、図９は図６におけるＡ−Ａ断面図である。図６乃至図９に基づいてプロテクタ７の形状を説明する。
プロテクタ７は概略円筒形に形成され、その外周にはカバー体５の内面に沿うように複数のリブ２９が設けられている（図５、図７参照）。この複数のリブ２９を設けたのは、プロテクタ７自体の容積を小さくして熱容量を小さくすると共に、カバー体５との接触面積を小さくすることによって、カバー体５の熱をプロテクタ７が奪うのを極力防止して、半田１０の溶融を促進させ、カバーの作動遅れを防止するためである。なおリブ２９に直交するような同心円状のリブを、２、３設けて網状として、強度をもたせるようにしてもよい。またリブ２９とカバー体５との接触は線接触となっているが、この接触が点（部分）接触となるように、リブ２９の両端部だけがカバー体５と接触するように、両端部を残して削り、さらにその残った端部をエッジ加工して接触面積をより小さくするようにしてもよい。
【００２４】
また、プロテクタ７の外周面の１２０度の位置には、保持金具９を揺動可能に保持するための溝部３１が３か所設けられている。
さらに、プロテクタ７の外周面における溝部３１の上方には半田１０を保持するための切欠部３２が設けられている（図８、図９参照）。
また、プロテクタ７の内周面の１２０度離した３箇所には、バネ部材１１を設置するための凸部３３が形成されている（図７、図９参照）。
【００２５】
次に、再び図１に基づいて、スプリンクラヘッドカバー１の組立手順を説明する。
まず、プロテクタ７の内部にバネ部材１１を設置する。次に、プロテクタ７の内側と、本体３の下端の開口部を対向配置させる。このとき、本体３の開口縁部とバネ部材１１の先端部が対向するようにする。この状態で、本体３をプロテクタ７に押しつけるようにすると、バネ部材１１が本体３の開口縁部によって押し縮められる。バネ部材１１が押し縮められて、本体３とプロテクタ７とが所望の位置関係になった状態で、この状態を治具によって保持させる。
【００２６】
次に、プロテクタ７の外周部に保持金具９を設置し、さらに、半田１０をプロテクタ７の外周部に設置し、この状態でプロテクタ７をカバー体５に挿入する。このとき、プロテクタ７の外周形状とカバー体５の内面形状がちょうど合うように形成されているので、プロテクタ７とカバー体５とは圧入状態となり、両者は一体化する（以下、プロテクタ７とカバー体５が一体化したものを「カバー体側」という。）。なお、両者の一体化を確実にするために、カバー体５の上端部をかしめるようにする。
【００２７】
以上のようにして、プロテクタ７にカバー体５を取りつけた状態で、治具を外す。このとき、バネ部材１１のバネ力によって、本体３とカバー体側は離れようとするが、両者は保持金具９によって保持されることになる。
【００２８】
次に、腐食防止カバー１２を本体３の上方から挿入してカバー体５と本体３との隙間を塞ぐ。さらに、被水防止板１５を本体３に挿入して本体３に取りつける。被水防止板１５を本体３に取りつけるようにしたので、本体３と被水防止板１５の上下方向の相対位置が一義的に規定されることになり、本体３とスプリンクラヘッドの上下方向の相対位置が一義的に規定されることと相俟ってスプリンクラヘッドと被水防止板１５との上下方向の相対位置が一義的に規定されることになる。このため、被水防止板１５の垂下片３１の下端の位置をスプリンクラヘッドとの関係で予め規定できることになり、スプリンクラヘッドの取付高さによって、垂下片３１の長さを変更したりする必要がないので、好都合である。
【００２９】
次に、シーリングプレート１３を本体に挿入する。シーリングプレート１３を挿入する際には、シーリングプレート１３に設けた挿入口２２に被水防止板１５の延出部２９及び垂下片３１が挿入されるようにする。
以上のようにして組み立てられたスプリンクラーヘッドカバー１を、現場でスプリンクラヘッドに取り付けるには、本体３の上端のネジ部をスプリンクラヘッドのネジ部にねじ込み、シーリングプレート１３の上面が天井面に当接した位置で、被水防止板１５を回転させて所望の位置にセットする。
【００３０】
次に、上記のように設置されたスプリンクラヘッドカバー１の作用・効果について説明する。
まず、シーリングプレート１３の作用について説明する。図１に示すように、シーリングプレート１３を設置することよって、天井５０の開口５３を確実に塞ぐことができる。
また、モップの柄などによる外力が、スプリンクラヘッドカバー１の側方から作用しても、スプリンクラヘッドカバー１はシーリングプレート１３の防護壁２１によって防護されるので、カバー体５に直接外力が及ぶことがなく、カバー体５が外れるのを防止できる。
【００３１】
次に、カバー体５の離脱動作について説明する。
図１に示す監視状態から、火災時の熱によって図中左端の保持金具９を支持している半田１０が溶け始めると、保持金具９が本体３の開口縁部に押されて外側に傾き始め、さらに半田１０が溶けると保持金具９の傾きが増し、保持金具９と本体３の開口縁部の係合が外れる。
【００３２】
保持金具９と本体３の開口縁部との係合のうち一箇所が外れると、カバー体側には係合状態にある２箇所からのみ力を受けることになり、釣り合い状態にあった水平方向の３つの分力の釣り合いが崩れ、カバー体側には係合状態にある２箇所から図中右方向の水平力を受けることになる。
【００３３】
カバー体５はこの水平力によって図中右方向にすべり、他の２箇所における保持金具９と本体３の開口縁部との係合が外れることになる。これによって、カバー体側は本体３から完全に外れて下方に落下する。そして、カバー体５が落下した後は、スプリンクラヘッド５５が火災の熱によって作動することになる。
【００３４】
次に、被水防止板１５の作用について説明する。
カバー体５が外れてスプリンクラヘッドが作動して放水が開始されると、消火液は半球状に放水されることになるが、消火液のうち被水防止板１５が設置されている方向に放射したものは垂下片３１によって遮られることになる。このため、垂下片３１側に設置されたスプリンクラヘッド（スプリンクラヘッドカバー）には消火液がかかることがなく、消火液がかかることによる作動遅れの発生を防止できる。
【００３５】
次に、プロテクタ７の作用について説明する。
プロテクタ７は保持金具９を介して本体３に取り付けている。このため、カバー体５の下方から外力が加えられると、プロテクタ７はカバー体５と共に上昇することになるが、プロテクタ７はスプリンクラヘッドの感熱部に当たる前に、本体３の下端にぶつかるので、その力は本体３に吸収され、スプリンクラヘッドの感熱部に作用することはない。またカバー体５内にこのようなカバー体５とほぼ同じ外径のプロテクタを設けることで、カバー体５が薄い金属板で形成されて、外力がかかったとしても、カバー体５が変形しにくい。
【００３６】
なお、上記の実施の形態においては、被水防止板１５の垂下片３１を一箇所のみ設けた例を示したが、隣接して設置されるスプリンクラヘッドが複数ある場合には、それに対応して垂下片３１を複数設けるようにしてもよい。
【００３７】
【発明の効果】
以上説明したように、本発明に係るスプリンクラヘッドカバーにおいては、天井材又はスプリンクラヘッドに取り付け可能に構成されると共に、下方に開口を有する本体と、スプリンクラヘッドの感熱部を覆うと共に、開口を塞ぐように本体に離脱可能に設置され、薄い金属板で形成されたカバー体とを備えたスプリンクラヘッドカバーにおいて、カバー体と本体との間に、概略円筒形のプロテクタを備え、該プロテクタの外周面には、カバー体との接触面積を減らすために、カバー体の内周面に沿うように複数のリブが設けられると共に、該プロテクタの外周形状は、カバー体の内面形状に合うように形成され、プロテクタを、圧入状態となり両者が一体化されるように、カバー体に挿入して、プロテクタをカバー体内に設け、外力によりカバー体が変形しにくいので、カバー体の下方から外力が加えられても、その力は本体に吸収されるので、スプリンクラヘッドの感熱部を保護できる。
【図面の簡単な説明】
【図１】本発明の一実施の形態のスプリンクラヘッドカバーの設置状態における側面断面である。
【図２】本発明の一実施の形態のシーリングプレートの側面断面図である。
【図３】本発明の一実施の形態のシーリングプレートを下方からみた底面図である。
【図４】本発明の一実施の形態の被水防止板の側面断面図である。
【図５】本発明の一実施の形態の被水防止板を下方からみた図である。
【図６】本発明の一実施の形態におけるプロテクタの底面図である。
【図７】本発明の一実施の形態におけるプロテクタの平面図である。
【図８】本発明の一実施の形態におけるプロテクタの側面図である。
【図９】本発明の一実施の形態におけるプロテクタの側面断面図である。
【図１０】従来のスプリンクラヘッド用ガードの説明図である。
【図１１】従来のスプリンクラヘッド用ガードの分解斜視図である。
【符号の説明】
１  スプリンクラヘッドカバー
３  本体
５  カバー体
１３  シーリングプレート
１５  被水防止板
【図１】
0003925585.tif 000002
【図２】
0003925585.tif 000003
【図３】
0003925585.tif 000004
【図４】
0003925585.tif 000005
【図５】
0003925585.tif 000006
【図６】
0003925585.tif 000007
【図７】
0003925585.tif 000008
【図８】
0003925585.tif 000009
【図９】
0003925585.tif 000010
【図１０】
0003925585.tif 000011
【図１１】
0003925585.tif 000012